(57)【要約】【課題】既存の桝本体または継手体に目皿とトラップ体を備えることができ、多量の排水が流れても水位が上昇することなく、臭気などの逆流を確実に防止できる。【解決手段】略筒状の装置本体１の外部にトラップ体を接続する。装置本体１は、掃除口体13を接続する上部接続口４を上部に形成するとともに、桝本体15または継手体を接続する下部接続口５を下部に形成し、トラップ体３を接続するトラップ接続口６を側部に形成する。装置本体１のトラップ接続口６より下流側に位置して下部接続口５に臨ませて内側下部に目皿２を配設する。トラップ体３は、一端部に排水枝管24を接続する枝管接続口８を形成するとともに、他端部に装置本体１のトラップ接続口６に接続するトラップ被接続口９を形成する。装置本体１内の目皿２を配設した位置より下流側の排水流路断面積Ｓ1は、前記排水枝管24の排水流路断面積Ｓ2と同一又は大きいものである。【選択図】図５
2008274665.tif 000002
【特許請求の範囲】
【請求項１】
目皿を備えた略筒状の装置本体と、
この装置本体の外部にてこの装置本体に接続されるトラップ体と
を備えた目皿付きトラップ装置であって、
前記装置本体は、
掃除口体を接続する上部接続口を上部に形成するとともに、
排水主管に接続される桝本体または継手体を接続する下部接続口を下部に形成し、
かつ、前記トラップ体を接続するトラップ接続口を側部に形成し、
前記装置本体のトラップ接続口より下流側に位置して前記下部接続口に臨ませて内側下部に前記目皿を着脱可能に配設し、
前記トラップ体は、
一端部に排水設備に連通された排水枝管を接続する枝管接続口を形成するとともに、他端部に前記装置本体のトラップ接続口に接続するトラップ被接続口を形成し、
前記装置本体内の目皿を配設した位置より下流側の排水流路断面積は、前記排水枝管の排水流路断面積と同一又は大きい
ことを特徴とする目皿付きトラップ装置。
【発明の詳細な説明】
【技術分野】
【０００１】
本発明は、排水枝管を接続する排水桝又は継手に、目皿とトラップを備えることができるようにした目皿付きトラップ装置に関する。
【背景技術】
【０００２】
地方公共団体によっては、台所などの排水設備に連通された排水枝管を排水主管と合流させる場合、排水桝に目皿とトラップを備えることが求められている。
【０００３】
この排水桝に目皿とトラップを備える構成とする場合、従来は、排水桝本体に、別部品の目皿とトラップ体とを適宜に組み合わせができ、効果的に排水桝の品揃えができるようにしている。
【０００４】
そして、従来の排水桝に目皿とトラップとを備えるには、例えば、排水桝本体の上部接続開口に枝管接続口を有する掃除口体を接続し、この掃除口体に、別部品の目皿とトラップ体とを適宜に組み合わせる構成とし、この掃除口体内に、中央部に溢流筒を立設したトラップ容器と、このトラップ容器の溢流筒上に被嵌される椀体とからなるトラップ体を着脱可能に配設し、このトラップ体の上流側の上方に臨ませて枝管接続口から下流側位置に目皿を着脱可能に配設する構造が採られている（特許文献１）。
【特許文献１】特開平７−２９２７３３号公報
【発明の開示】
【発明が解決しようとする課題】
【０００５】
解決しようとする問題点は、上記特許文献１に示す従来の装置のように、排水桝本体に接続した掃除口体に、別部品の目皿とトラップ体とを適宜に組み合わせることができる構成の排水桝装置では、トラップ体がトラップ容器とこのトラップ容器に被嵌される椀体とで構成されているため、排水枝管の管径に対して椀部の流路が狭くなり、排水枝管から大量の排水が流入した場合、流入される水量に比して椀体を流れる排水の流量が少なく、椀部の上部空間の水位が上昇するため、目皿が所定の位置から浮き上がって、排水に混入していた夾雑物が椀部を通過して排水主管に排出されてしまったり、排水流量の差によって排水枝管が満管状態となり、排水枝管の上流側に大きな負圧を発生させ、排水枝管の上流側の排水設備に問題が発生するおそれがあった。
【０００６】
また、排水桝本体に接続した掃除口体内に配設されているトラップ体より上流側に目皿が配設されるため、目皿に捕集された夾雑物の臭気が排水枝管を経て室内に逆流する問題があった。
【０００７】
さらには、トラップ容器とこのトラップ容器に被嵌される椀体とで構成されるトラップ体では、一般的に維持管理面から椀体がトラップ容器から取り外し可能に設けられているため、清掃などの維持管理後に椀体の取り付けを失念したり、悪戯で椀体が外されたりして椀体が外れたままで使用した場合、下水本管の臭気が排水主管を経て室内に逆流するおそれがあり、さらに、場合によっては、ガス管から漏洩したガスが排水主管などを経て室内に流れ込む事故が生じるおそれがある問題があった。
【０００８】
本発明は上記問題点に鑑みなされたもので、大量の排水が流れても排水枝管の上流側の水位が上昇することなく、臭気などの逆流を確実に防止できる目皿付きトラップ装置を提供するものである。
【課題を解決するための手段】
【０００９】
本発明の目皿付きトラップ装置は、目皿を備えた略筒状の装置本体と、この装置本体の外部にてこの装置本体に接続されるトラップ体とを備えた目皿付きトラップ装置である。また、前記装置本体は、掃除口体を接続する上部接続口を上部に形成するとともに、排水主管に接続される桝本体または継手体を接続する下部接続口を下部に形成し、かつ、前記トラップ体を接続するトラップ接続口を側部に形成する。また、前記装置本体のトラップ接続口より下流側に位置して前記下部接続口に臨ませて内側下部に前記目皿を着脱可能に配設する。さらに、前記トラップ体は、一端部に排水設備に連通された排水枝管を接続する枝管接続口を形成するとともに、他端部に前記装置本体のトラップ接続口に接続するトラップ被接続口を形成する。さらに、前記装置本体内の目皿を配設した位置より下流側の排水流路断面積は、前記排水枝管の排水流路断面積と同一又は大きいものである。
【００１０】
そして、目皿とトラップとを必要とする場合には、排水桝などの桝本体の上部接続開口または継手体に目皿付きトラップ装置の下部接続口を接続することにより、排水設備から流出された排水は、排水枝管からトラップ体の一端部の枝管接続口を経てトラップ体内を流動し、トラップ体の他端部のトラップ被接続口から装置本体内に流入し、目皿によって夾雑物が分離捕集され、排水は装置本体の下部接続口から桝本体または継手体を経て排水主管に流出される。また、装置本体の上部接続口に接続した掃除口体から目皿に捕集された夾雑物を除去できる。
【発明の効果】
【００１１】
本発明の目皿付きトラップ装置は、桝本体または継手体に目皿とトラップを必要とする場合に、装置本体のトラップ接続口に接続したトラップ体に排水枝管を接続するとともに装置本体の下部接続口に既存の桝本体または継手体を接続することにより、既存の桝本体または継手体にトラップ体と目皿を備えることができ、目皿及びトラップ体を備えていない桝本体または継手体に目皿とトラップ体を容易に設けることができ、また、装置本体内の目皿を配設した位置より下流側の排水流路断面積は、前記排水枝管の排水流路断面積と同一又は大きくしたので、大量の排水が流れても装置本体内の水位が上昇することなく、目皿が浮き上がって、夾雑物が排水主管などの下流側に流れ込むことがなく、また、排水枝管の上流側に大きな負圧が発生することもなく、また、トラップ体は目皿より上流に位置しているので、目皿に捕集された夾雑物の臭気が室内側に逆流することがない。
【発明を実施するための最良の形態】
【００１２】
本発明の目皿付きトラップ装置の一実施の形態を図１ないし図４に基づいて説明する。
【００１３】
装置本体１は合成樹脂にて略筒状に形成され、この装置本体１には平面視が略円形状の目皿２が回動かつ着脱自在に備えられ、また、この装置本体１の外部にてこの装置本体１にトラップ体３が接続される。
【００１４】
また、前記装置本体１は、掃除口体を接続する平面円形状の上部接続口４を上部に上向き開口して形成するとともに、排水主管に接続される桝本体または継手体を接続する平面円形状の下部接続口５を下部に下向き開口して形成し、この上部接続口４と下部接続口５とは中心位置が側方に偏倚させている。
【００１５】
さらに、この装置本体１には、前記トラップ体３を接続するトラップ接続口６を、前記下部接続口５が上部接続口４に対して偏倚した側と反対側の側部に下向きに形成し、さらに、この装置本体１にはトラップ接続口６より下流側に位置して、前記下部接続口５に臨ませて内側下部に前記目皿２を回動かつ着脱可能に配設する環状の目皿支持縁７が形成されている。
【００１６】
次に、前記トラップ体３は、略Ｕ字状に形成し、一端部に排水設備に連通された排水枝管を接続する枝管接続口８を上向きに開口して形成するとともに、他端部に前記装置本体１のトラップ接続口６に接続するトラップ被接続口９を上向きに開口して形成する。
【００１７】
そして、前記装置本体１内の目皿２を配設した位置より下流側の排水流路断面積Ｓ1は、前記排水枝管の排水流路断面積Ｓ2と同一又は大きく形成されている。すなわち、装置本体の排水流路断面積Ｓ1≧排水枝管の排水流路断面積Ｓ2となる関係となっている。
【００１８】
なお、前記トラップ体３のトラップ被接続口９の外周面には、前記装置本体１のトラップ接続口６の内周面に形成した環状の凹部10に回動可能に係合する突起条11が形成され、この装置本体１のトラップ接続口６にトラップ体３が環状の凹部10と突起条11との係合で抜け止め保持されて回動可能に接続される。
【００１９】
さらに、このトラップ体３のトラップ被接続口９の外周面には前記装置本体１のトラップ接続口６の内周面に圧接するシール材12が嵌着されている。
【００２０】
また、図５および図６に示すように、装置本体１の上部接続口４には掃除口体13の下端開口部が接続され、この上部接続口４の上端開口部には地表面Ｇに臨ませられる掃除口蓋枠14が嵌着され、この掃除口蓋枠14に図示しない掃除口蓋が開閉自在に嵌着される。
【００２１】
また、装置本体１の下部接続口５には、既存の合流桝本体15に設けられているインバート部16の上方に形成した上部接続開口17が接続されている。この合流桝本体15のインバート部16の両端接続部には排水主管27が接続される。
【００２２】
また、前記トラップ体３の枝管接続口８には継手体18の下端接続口19が短管28を介して接続され、この継手体18の上端接続口20には掃除口体21の下端開口部が接続され、この掃除口体21の上端開口部には地表面Ｇに臨ませられる掃除口蓋枠22が嵌着され、この掃除口蓋枠22に掃除口蓋が開閉自在に嵌着される。さらに、この継手体18の側部に形成された枝管接続口23には台所などの排水設備に連通された排水枝管24が接続される。
【００２３】
そして、この排水枝管24の排水流路断面積Ｓ2と前記短管28の流路断面積とトラップ体３の枝管接続口８の流路断面積及びトラップ体３の流路断面積はいずれも同一断面積となっている。
【００２４】
また、前記目皿２の上面中央部には、取出し用突部25が一体に形成され、この突部25にパイプ状の操作棒26が着脱可能に取付けられている。
【００２５】
次にこの実施の形態の作用を説明する。
【００２６】
目皿２およびトラップ体３を合流桝本体15に設置する場合には、桝本体15の上部接続開口17に装置本体１の下部接続口５を接続し、トラップ接続口６にトラップ体３のトラップ被接続口９を接続し、装置本体１の目皿支持縁７に目皿２を載置することにより、目皿及びトラップ体を備えていない桝本体15に目皿２とトラップ体３とを備えられる。
【００２７】
また、排水設備から流出された排水は、排水枝管24からトラップ体３の一端部の枝管接続口８を経てトラップ体３内を流動し、トラップ体３の他端部のトラップ被接続口９から装置本体１内に流入する。この装置本体１内に流入した排水に混入している夾雑物は、目皿２によって分離捕集され、夾雑物を分離された排水は装置本体１の下部接続口５から桝本体15の上部接続開口17からインバート部16に流下し、インバート部16から排水主管27に流出される。
【００２８】
そして、装置本体１内の目皿２を配設した位置より下流側の排水流路断面積Ｓ1は、前記排水枝管24の排水流路断面積Ｓ2と同一又は大きく、排水流路断面積Ｓ1≧排水枝管の排水流路断面積Ｓ2の関係から、大量の排水が排水枝管24から装置本体１内に流れても、装置本体１内の水位が上昇することなく、この装置本体１内の水位上昇で目皿２が浮き上がって、夾雑物が排水主管などの下流側の桝本体15内に流れ込むことがなく、また、夾雑物が詰まることにより排水枝管24の上流側に大きな負圧が発生することもない。
【００２９】
また、トラップ体３は目皿２より上流側に位置しているので、目皿２に捕集された夾雑物の臭気が室内側に逆流することがない。
【００３０】
さらに、装置本体１の上部接続口４に接続した掃除口体13に設けた掃除口蓋枠14の蓋体を開き、掃除口蓋枠14から取出し用突部25に取付けた操作棒26にて目皿２を目皿支持縁７から離反させて地表面Ｇに引き上げ、目皿２に捕集された夾雑物を装置本体１から除去することができる。また、目皿２を取出した状態で、掃除口蓋枠14から桝本体15内を点検または掃除をすることができる。
【００３１】
また、トラップ体３は、掃除口蓋枠22に掃除口蓋を開いてこの掃除口蓋枠22から点検、掃除ができる。
【００３２】
次いで、夾雑物を除去した目皿２を操作棒26の操作で、装置本体１の目皿支持縁７に支持することで、引き続き、排水中の夾雑物を分離できる。
【００３３】
図５および図６に示す実施の形態では、排水枝管24を接続するトラップ体３は排水主管27を接続するインバート部16に直交方向に接続した構成としたが、図７に示すように、桝本体15に対して装置本体１の向きを変えるとともにトラップ接続口６に接続したトラップ体３をトラップ被接続口９の外周面に形成した突起条11とトラップ接続口６の内周面に形成した凹部10との係合で回動させ、トラップ体３を排水主管27と略平行状とし、このトラップ体３に接続した継手体18の枝管接続口23に接続した排水枝管24を排水主管27と直交方向に接続することもできる。
【００３４】
次に、他の実施の形態を図８および図９に基づいて説明する。
【００３５】
前記図１ないし図６に示す実施の形態では、装置本体１の下部接続口５には、桝本体15の上部接続開口17を接続する構成としたが、この実施の形態では、装置本体１の下部接続口5aに継手体30を接続できるようにした構成で、装置本体１の下部接続口5aは、前記図１ないし図６に示す実施の形態の下部接続口５より小径で、かつ装置本体１内の目皿２を配設した位置より下流側の排水流路断面積Ｓ1は、排水枝管24の排水流路断面積Ｓ2と同一又は大きく形成されている。すなわち、装置本体の排水流路断面積Ｓ1≧排水枝管の排水流路断面積Ｓ2の関係を有している。
【００３６】
そして、継手体30は円筒状の両端部に排水主管27の接続口が形成され、中間上部に接続口31が上向きに開口され、この継手体30の接続口31に装置本体１の下部接続口5aが接続されるようになっている。
【００３７】
他の構成は、前記図１ないし図６に示す実施の形態と同一で、同一構成部分を同一符号で示して説明を省略する。
【００３８】
この実施の形態の作用も前記実施の形態と同一で、目皿２およびトラップ体３を継手体30に設置する場合には、継手体30の接続口31に装置本体１の下部接続口5aを接続するとともにトラップ接続口６にトラップ体３のトラップ被接続口９を接続し、装置本体１に目皿２を支持することにより、目皿及びトラップ体を備えていない継手体30に目皿２とトラップ体３とが備えられる。
【００３９】
また、排水設備から流出された排水は、排水枝管24からトラップ体３の一端部の枝管接続口８を経てトラップ体３内を流動し、トラップ体３の他端部のトラップ被接続口９から装置本体１内に流入する。この装置本体１内に流入した排水に混入している夾雑物は、目皿２によって分離捕集され、夾雑物を分離された排水は装置本体１の下部接続口5aから継手体30の接続口31に流下し、排水主管27に流出される。
【００４０】
そして、装置本体１内の目皿２を配設した位置より下流側の排水流路断面積Ｓ1は、前記排水枝管24の排水流路断面積Ｓ2と同一又は大きく、排水流路断面積Ｓ1≧排水枝管の排水流路断面積Ｓ2の関係から、大量の排水が排水枝管24から装置本体１内に流れても、装置本体１内の水位が上昇することなく、この装置本体１内の水位上昇で目皿２が浮き上がって、夾雑物が排水主管などの下流側の継手体30内に流れ込むことがなく、また、排水枝管24の上流側に大きな負圧が発生することもない。
【００４１】
また、トラップ体３は目皿２より上流側に位置しているので、目皿２に捕集された夾雑物の臭気が室内側に逆流することがない。
【００４２】
なお、他の作用は前記実施の形態と同一である。
【００４３】
さらに、他の実施の形態を図１０および図１１に基づいて説明する。
【００４４】
この実施の形態では、前記図１ないし図６に示す実施の形態において、装置本体１の桝本体15の上部接続開口17を接続する下部接続口５の内側に、この下部接続口５より小径の継手体30の接続口31を接続する下部接続口5aが形成されている。
【００４５】
そして、装置本体１内の目皿２を配設した位置より下流側の排水流路断面積Ｓ1は、排水枝管24の排水流路断面積Ｓ2と同一又は大きく形成されている。
【００４６】
他の構成は、前記図５および図６に示す実施の形態と同一で、同一構成部分を同一符号で示して説明を省略する。
【００４７】
この実施の形態の作用も前記実施の形態と同一で、目皿２およびトラップ体３を桝本体15に設置する場合には、図５に示す形態と同様に桝本体15の上部接続開口17に下部接続口５を接続し、目皿２およびトラップ体３を継手体30に設置する場合には、図８に示す形態と同様に継手体30の接続口31に装置本体１の下部接続口5aを接続する。また、この装置本体１のトラップ接続口６にトラップ体３のトラップ被接続口９を接続し、装置本体１に目皿２を支持することにより、目皿及びトラップ体を備えていない桝本体15または継手体30に目皿２とトラップ体３とが備えられる。
【００４８】
また、排水設備から流出された排水は、排水枝管24からトラップ体３の一端部の枝管接続口８を経てトラップ体３内を流動し、トラップ体３の他端部のトラップ被接続口９から装置本体１内に流入する。この装置本体１内に流入した排水に混入している夾雑物は、目皿２によって分離捕集され、夾雑物を分離された排水は装置本体１の下部接続口５または5aから桝本体15または継手体30に流下し、排水主管27に流出される。
【００４９】
そして、装置本体１内の目皿２を配設した位置より下流側の排水流路断面積Ｓ1は、前記排水枝管24の排水流路断面積Ｓ2と同一又は大きく、排水流路断面積Ｓ1≧排水枝管の排水流路断面積Ｓ2の関係から、大量の排水が排水枝管24から装置本体１内に流れても、装置本体１内の水位が上昇することなく、この装置本体１内の水位上昇で目皿２が浮き上がって、夾雑物が排水主管に接続した下流側の桝本体15または継手体30内に流れ込むことがなく、また、排水枝管24の上流側に大きな負圧が発生することもない。
【００５０】
また、トラップ体３は目皿２より上流側に位置しているので、目皿２に捕集された夾雑物の臭気が室内側に逆流することがない。
【００５１】
なお、他の作用は図５および図６前記実施の形態と同一である。
【００５２】
さらに、他の実施の形態を図１２ないし図１４に基づいて説明する。
【００５３】
装置本体１は、図１ないし図４に示す実施の形態と同一構成で、合成樹脂にて略筒状に形成され、この装置本体１内には、平面視が略円形状の目皿２が回転かつ着脱自在に備えられ、さらに、この装置本体１の外部にてこの装置本体１にトラップ体３が接続される。
【００５４】
また、この装置本体１は、掃除口体を接続する平面円形状の上部接続口４を上部に上向き開口して形成するとともに、排水主管に接続される桝本体または継手体を接続する平面円形状の下部接続口５を下部に下向き開口して形成している。
【００５５】
さらに、この装置本体１の一側部には、前記トラップ体３を接続するトラップ接続口６を下向きに形成し、さらに、この装置本体１にはこのトラップ接続口６より下流側で、かつ、前記上部接続口４および下部接続口５の中心位置より例えば、後側方に偏倚した位置に、この上部接続口４と下部接続口５とを連通させる連通開口7aが形成され、この連通開口7aの周縁に前記下部接続口５に臨ませて内側下部に前記目皿２を回動かつ着脱可能に配設する環状の目皿支持縁７が形成されている。
【００５６】
そして、装置本体１内に開口したトラップ接続口６の中心軸は、この装置本体１の内部に配設された平面視が略円形状の目皿２における円形状の中心上から外れた位置にあり、トラップ接続口６から流入する排水の水圧によって前記目皿２が回動される。
【００５７】
他の構成は、前記図１ないし図４に示す実施の形態と同一である。
【００５８】
次に、この実施の形態の作用を説明する。排水設備から流出された排水がトラップ体３の一端部の枝管接続口８を経てトラップ体３内を流動し、トラップ体３の他端部のトラップ被接続口９から装置本体１内に流入する。この装置本体１内に流入した排水に混入している夾雑物は、目皿２によって分離捕集され、夾雑物を分離された排水は装置本体１の連通開口7aを経て下部接続口５に流出し、桝本体15の上部接続開口17からインバート部16に流下し、インバート部16から排水主管27に流出される。
【００５９】
このとき、トラップ接続口６から流入する排水の水圧によって目皿２が回動され、排水中に混入している髪の毛などの細長い糸状の夾雑物がもつれることなく、目皿２上に略均等に捕集される。そして、細長い糸状の夾雑物は目皿２にもつれることがないので、目皿を取り出して上下面を反転させて叩くなどにより、容易に細長い糸状の夾雑物を取り除くことができる。
【００６０】
他の作用は前記図１ないし図４に示す実施の形態と同一である。
【００６１】
さらに、この図１２ないし図１４の実施の形態において、装置本体１に複数のトラップ接続口６を側部に円周方向に間隔をおいて複数形成した場合、全てのトラップ接続口６の中心軸は、この装置本体１の内部に配設された平面視が略円形状の目皿２における円形状の中心上から外れた位置にあり、このいずれのトラップ接続口６から流入する排水の水圧によって前記目皿２が回動される方向は同一方向となるようにする。
【図面の簡単な説明】
【００６２】
【図１】本発明の一実施の形態を示す目皿付きトラップ装置の縦断正面図である。
【図２】図１に示す目皿付きトラップ装置の正面図である。
【図３】図１に示す目皿付きトラップ装置の平面図である。
【図４】図１に示す目皿付きトラップ装置の底面図である。
【図５】図１に示す目皿付きトラップ装置に桝本体と排水枝管を接続した状態の縦断正面図である。
【図６】図５に示す目皿付きトラップ装置に桝本体と排水枝管を接続した状態の平面図である。
【図７】図６に示す目皿付きトラップ装置に桝本体と排水枝管を接続した状態のトラップの接続方向を変えた状態の平面図である。
【図８】本発明の他の実施の形態を示す目皿付きトラップ装置に継手体と排水枝管を接続した状態の縦断正面図である。
【図９】図８に示す目皿付きトラップ装置に継手体と排水枝管を接続した状態の平面図である。
【図１０】本発明の他の実施の形態を示す目皿付きトラップ装置に桝本体と排水枝管を接続した状態のトラップの接続方向を変えた状態の縦断正面図である。
【図１１】図１０に示す目皿付きトラップ装置に継手体と排水枝管を接続した状態の平面図である。
【図１２】本発明の他の実施の形態を示す目皿付きトラップ装置の縦断正面図である。
【図１３】図１２に示す目皿付きトラップ装置の平面図である。
【図１４】図１２に示す目皿付きトラップ装置の縦断側面図である。
【符号の説明】
【００６３】
１    装置本体
２    目皿
３    トラップ体
４    装置本体１の上部接続口
５，５a    装置本体１の下部接続口
６    トラップ接続口
８    枝管接続口
９    トラップ被接続口
13    掃除口体
15    桝本体
24    排水枝管
27    排水主管
30    継手体
【図１】
2008274665.tif 000003
【図２】
2008274665.tif 000004
【図３】
2008274665.tif 000005
【図４】
2008274665.tif 000006
【図５】
2008274665.tif 000007
【図６】
2008274665.tif 000008
【図７】
2008274665.tif 000009
【図８】
2008274665.tif 000010
【図９】
2008274665.tif 000011
【図１０】
2008274665.tif 000012
【図１１】
2008274665.tif 000013
【図１２】
2008274665.tif 000014
【図１３】
2008274665.tif 000015
【図１４】
2008274665.tif 000016